(57)【特許請求の範囲】
【請求項１】
写真フィルムの駒画像を読取るフィルム読取装置と、前記フィルム読取装置にて読取られた画像データに基づいて画像記録部材上に画像をプリント形成する画像形成装置と、前記画像記録部材上にプリント形成する画像に相当する画像の画像データをＷＯＲＭ型の光ディスクに書込むための画像データ書込み装置とが設けられた写真プリント装置であって、
前記画像データ書込み装置に装填された前記光ディスクに書込まれているデータが、前記光ディスクに書込まれた画像データの画像をモニタ表示するための表示処理プログラムであるときに、装填されている前記光ディスクへの前記画像データの書込みを許容し、且つ、前記光ディスクにデータが書込まれていないときに、装填されている前記光ディスクへの前記画像データ及び前記表示処理プログラムの書込みを許容する書込み制御手段が設けられ、
前記書込み制御手段は、前記光ディスクにデータが書込まれており、且つ、そのデータが前記表示処理プログラムでないときに、装填されている前記光ディスクへの前記画像データの書込みを禁止するように構成されている写真プリント装置。
【発明の詳細な説明】
【０００１】
【発明の属する技術分野】
本発明は、写真フィルムの駒画像を読取るフィルム読取装置と、前記フィルム読取装置にて読取られた画像データに基づいて画像記録部材上に画像をプリント形成する画像形成装置と、前記画像記録部材上にプリント形成する画像に相当する画像の画像データをＷＯＲＭ型の光ディスクに書込むための画像データ書込み装置とが設けられた写真プリント装置に関する。
【０００２】
【従来の技術】
かかる写真プリント装置は、フィルム読取装置にて写真フィルムに撮影されている駒画像を読取り、その読取った画像データに基づいて、例えば印画紙等の画像記録部材上に画像をプリント形成して写真プリントを作製する装置である。
このような写真プリント装置においては、本来の前記写真プリントの作製と並行して、あるいは写真プリントの作製を伴わずに単独の処理として、前記画像記録部材上にプリント形成する画像に相当する画像の画像データをＷＯＲＭ型の光ディスクに書込むサービスがよく行われている。ここで、ＷＯＲＭ型の光ディスクとは、１回に限り書込み可能で、書込んだデータの消去はできず、読み出しは何回でも行える形式の光ディスクであり、いわゆるＣＤ−ＲやＤＶＤ−Ｒが含まれる。
前記光ディスクに前記画像データを書込んで顧客に提供する際において、単に画像データのみを書込むだけでは不便であるので、書込んだ画像データを顧客が有するパソコン等でモニタ表示できるように、前記光ディスクに書込まれた画像データの画像をモニタ表示するための表示処理プログラムも併せて書込まれる。
写真プリント装置は、前記表示処理プログラムが予め書込まれた状態で市場に流通している形式の前記光ディスクと、何のデータも書込まれていない前記光ディスクとを取り扱うことができ、従来、写真プリント装置の操作者は、使用する前記光ディスクの形式を写真プリント装置に設定入力して前記画像データの書込みを行っていた。
【０００３】
【発明が解決しようとする課題】
しかしながら、上記従来構成では、操作者が前記光ディスクの形式の設定を誤ると、サービスとして提供するはずの前記表示処理プログラムが前記光ディスクに書込まれなかったり、既に前記表示処理プログラムが書込まれているにも拘わらず新たに前記表示処理プログラムを書込んでしまう場合があり、顧客に提供する商品としての価値を著しく低下させてしまう場合があった。
本発明は、かかる実情に鑑みてなされたものであって、その目的は、写真プリントとして形成する画像に相当する画像の画像データをＷＯＲＭ型の光ディスクに書込む場合における、その光ディスクの取り扱いを簡単化する点にある。
【０００４】
【課題を解決するための手段】
上記請求項１記載の構成を備えることにより、写真フィルムの駒画像を読取るフィルム読取装置と、前記フィルム読取装置にて読取られた画像データに基づいて画像記録部材上に画像をプリント形成する画像形成装置と、前記画像記録部材上にプリント形成する画像に相当する画像の画像データをＷＯＲＭ型の光ディスクに書込むための画像データ書込み装置とが設けられた写真プリント装置において、前記画像データ書込み装置に装填された前記光ディスクに書込まれているデータが、前記光ディスクに書込まれた画像データの画像をモニタ表示するための表示処理プログラムであるときに、装填されている前記光ディスクへの前記画像データの書込みを許容し、且つ、前記光ディスクにデータが書込まれていないときに、装填されている前記光ディスクへの前記画像データ及び前記表示処理プログラムの書込みを許容する書込み制御手段が設けられ、前記書込み制御手段は、前記光ディスクにデータが書込まれており、且つ、そのデータが前記表示処理プログラムでないときに、装填されている前記光ディスクへの前記画像データの書込みを禁止するように構成されている。
【０００５】
すなわち、前記書込み制御手段が、画像データ書込み装置に装填されたＷＯＲＭ型の光ディスクの書込み済みデータを読取り、既に前記表示処理プログラムが書込まれているか否かに応じて、画像データの書込みのみを許容するのか、あるいは、画像データ及び前記表示処理プログラムの双方の書込みを許容するのかを自動判別するので、写真プリント装置の操作者は、画像データ書込み装置に装填する前記光ディスクの素性をそれほど意識せずに取り扱うことができる。
もって、写真プリントとして形成する画像に相当する画像の画像データをＷＯＲＭ型の光ディスクに書込む場合における、その光ディスクの取り扱いを簡単化できるに至った。
【０００６】
又、写真プリント装置で取り扱う前記光ディスクの種類としては、何のデータも書込まれていない前記光ディスクと、前記表示処理プログラムのみが書込まれた前記光ディスクとがあり、これらの光ディスクのみを取り扱うことを前提としているのであるが、何らかの理由により他のデータが書込まれた前記光ディスクが誤って写真プリント装置の操作者に渡されて、その光ディスクが前記画像データ書込み装置に装填されてしまう場合もある。
このような光ディスクに誤って画像データ等が書込まれてしまうと、その光ディスクに書込まれていたデータが使用不能となる場合もある。
そこで、前記光ディスクにデータが書込まれ、且つ、そのデータが前記表示処理プログラムでないときに、装填されている前記光ディスクへの前記画像データの書込みを禁止することで、その光ディスクを保護することができる。
【０００７】
【発明の実施の形態】
以下、本発明の写真プリント装置の実施の形態を図面に基づいて説明する。
本実施の形態で例示する写真プリント装置ＤＰは、いわゆるデジタルミニラボ機として知られているものであり、図２に外観を示すように、現像処理済みの写真フィルム１（以下、単に「フィルム１」と略称する）やメモリーカード，光磁気ディスクあるいはＣＤ−Ｒ等から写真プリントを作製するための画像データを入力する画像入力装置ＩＲと、画像入力装置ＩＲにて入力した画像データを画像記録部材ＰＳとしての印画紙２に露光処理する露光・現像装置ＥＰとから構成されている。
【０００８】
〔画像入力装置ＩＲの概略構成〕
画像入力装置ＩＲには、図１に概略的に示すように、フィルム１の駒画像を読み取るフィルム読取装置ＦＲとしてのフィルムスキャナ３と、メモリーカード読み書き装置４ａ，光磁気ディスクドライブ４ｂ及び画像データ書込み装置ＩＷとしてのＣＤ−Ｒドライブ４ｃ等を備えた外部入出力装置４と、いわゆるパーソナルコンピュータにて構成されてフィルムスキャナ３や外部入出力装置４の制御のほか写真プリント装置ＤＰ全体の管理を実行する主制御装置６とが備えられ、更に、主制御装置６には、仕上がりプリント画像をシミュレートしたシミュレート画像や各種の制御用の情報を表示するモニタ６ａと、露光条件の手動設定等や制御情報の入力操作をするための操作卓６ｂとが接続されている。
【０００９】
〔フィルムスキャナ３の構成〕
フィルムスキャナ３は、ハロゲンランプ１０と、ハロゲンランプ１０から出射した光の色バランスを調整するための調光フィルタ１１と、調光フィルタ１１を通過した光を均等に混色するミラートンネル１２と、搬送機構１３ａや図示を省略するフィルムマスク等が備えられてフィルム１を所定の読取り位置に位置させるフィルムマスクユニット１３と、フィルム１の駒画像を光電変換するためのＣＣＤラインセンサユニット１４と、フィルム１の画像をＣＣＤラインセンサユニット１４上に結像させるためのレンズ１５と、光路を９０度屈曲させるためのミラー１６と、ＣＣＤラインセンサユニット１４の出力信号を増幅及びＡ／Ｄ変換等する処理回路１７と、フィルムスキャナ３全体の制御を行う読取制御装置１８とが設けられている。
【００１０】
ＣＣＤラインセンサユニット１４は、約５０００個のＣＣＤ素子をフィルム１の幅方向に配列したＣＣＤラインセンサを３列に並べて備えており、各ＣＣＤラインセンサの受光面には夫々赤色、緑色、青色のカラーフィルタが形成されて、フィルム１の駒画像を色分解して検出する。
読取制御装置１８は、主制御装置６からの読取指令に基づいて、フィルムマスクユニット１３にセットされたフィルム１の搬送移動を開始させると共に、処理回路１７から出力されるそのフィルム１の駒画像の画像データを主制御装置６へ出力する。
【００１１】
〔外部入出力装置４による画像データの書込み動作〕
本実施の形態の写真プリント装置ＤＰでは、顧客によって持ち込まれたフィルム１等の画像ソースに基づいて写真プリントを作製するのと並行して、顧客からの要望があれば、ＣＤ−Ｒのメディアや光磁気ディスク等に、印画紙２にプリント形成する画像に相当する画像の画像データを書込み、それを顧客に提供するサービスも行えるように構成されており、このために外部入出力装置４の各装置が使用される。各メディアに書込まれる画像データは、フィルムスキャナ３等から入力された画像データを画像処理して露光・現像装置ＥＰにてプリント処理させるための画像データであるが、各メディアの書込みデータ容量等に応じて適宜に画素数が減じられたものである。
【００１２】
ここで、このための操作をＣＤ−Ｒのメディアに書込む場合と、光磁気ディスクに書込む場合とを例にとって説明する。
先ず、ＷＯＲＭ型の光ディスクであるＣＤ−Ｒのメディアに書込む場合を、主制御装置６が実行する図３のフローチャートに基づいて説明する。
本実施の形態の写真プリント装置ＤＰでは、原則として、書込んだ画像データをパーソナルコンピュータ等においてモニタ表示させるための表示処理プログラム（以下、この表示処理プログラムを、単に「ビュワー」と称する）が予め書込まれて市場に流通しているＣＤ−Ｒメディアを画像データの書込みの対象としているが、顧客からの要望があれば、全く未使用のＣＤ−Ｒメディアにも画像データを書込む。
【００１３】
操作者が、ＣＤ−ＲメディアをＣＤ−Ｒドライブ４ｃにセットした状態で、上述の画像データのＣＤ−Ｒメディアへの書込みを操作卓６ｂ等から指示すると、主制御装置６は図３の処理を開始し、先ず、ＣＤ−Ｒドライブ４ｃに装填されているＣＤ−Ｒメディアが書込み可能な状態であるか否かを確認した上で、ＣＤ−Ｒメディアにデータが書込まれているか否かを確認する（ステップ＃１）。
データが何も書込まれていない全くの新品のＣＤ−Ｒメディアであれば（ステップ＃１）、顧客からビュワーの書込みが要求されているか否かの設定状態を確認し（ステップ＃２）、ビュワーの書込みが要求されていれば、ビュワーと前記画像データとをＣＤ−Ｒメディアに書込むと共に、再書込みが出来ないように処理し（ステップ＃３）、ビュワーの書込みが要求されていなければ前記画像データのみを書込むと共に、再書込みが出来ないように処理する（ステップ＃４）。尚、ステップ＃３で書込まれるビュワーは、予めＣＤ−Ｒメディアに書込んでおくビュワーとは異なり簡易型のものである。
【００１４】
一方、ＣＤ−Ｒドライブ４ｃに装填したＣＤ−Ｒメディアにデータが書込まれているときは（ステップ＃１）、その書込まれているデータが前記ビュワーを構成するデータであるか否かを前記ビュワーの識別コードが書込まれているいるか否かによって判断する（ステップ＃５）。
ＣＤ−Ｒメディアに書込まれているデータが前記ビュワーを構成するデータであれば、前記ビュワーが予め書込まれた未使用のＣＤ−Ｒメディアであるので、前記画像データを書込むと共に、再書込みが出来ないように処理する（ステップ＃６）。
一方、ステップ＃５で、ＣＤ−Ｒメディアに書込まれているデータが前記ビュワーを構成するデータではないと判断されたときは、画像データの書込みを中止し、その旨をモニタ６ａに表示する（ステップ＃７）。
【００１５】
従って、主制御装置６は、画像データ書込み装置ＩＷであるＣＤ−Ｒドライブ４ｃに装填された前記光ディスク（ＣＤ−Ｒメディア）に書込まれているデータが、前記光ディスクに書込まれた画像データの画像をモニタ表示するための表示処理プログラム（前記ビュワー）であるときに、装填されている前記光ディスクへの前記画像データの書込みを許容し、且つ、前記光ディスクにデータが書込まれていないときに、装填されている前記光ディスクへの前記画像データ及び前記表示処理プログラムの書込みを許容する書込み制御手段ＷＣとして機能する。
この書込み制御手段ＷＣである主制御装置６は、更に、前記光ディスク（ＣＤ−Ｒメディア）にデータが書込まれており、且つ、そのデータが前記表示処理プログラム（前記ビュワー）でないときに、装填されている前記光ディスクへの前記画像データの書込みを禁止している。
【００１６】
次に、光磁気ディスクに書込む場合を、主制御装置６が実行する図４のフローチャートに基づいて説明する。
操作者が、光磁気ディスクを光磁気ディスクドライブ４ｂにセットした状態で、上述の画像データの光磁気ディスクへの書込みを操作卓６ｂ等から指示すると、主制御装置６は図４の処理を開始し、先ず、装填されている光磁気ディスクがフォーマットされているか否かを確認し（ステップ＃１１）、フォーマットがなされていない新品の光磁気ディスクであれば、モニタ６ａに「メディアにデータが書き込めません。フォーマットを行いますか。」というメッセージを表示し（ステップ＃１２）、フォーマットの意思を確認する。
【００１７】
一方、光磁気ディスクがフォーマットされてはいるものの写真プリント装置ＤＰで使用できない形式のものであるときは（ステップ＃１３）、モニタ６ａに「メディアに既にデータが書込まれています。フォーマットを行いますか。」というメッセージを表示して、新たにフォーマットを行うと消去されてしまうデータが存在していることを報知して警告する（ステップ＃１４）。
上記のようなフォーマットを行う意思を確認するための表示を行った後、操作者がフォーマットを実行する旨の指示を操作卓６ｂ等から入力すると（ステップ＃１５）、フォーマットを開始し（ステップ＃１６）、フォーマットを完了すると（ステップ＃１７）、前記画像データを書込む（ステップ＃１８）。
尚、この図４の処理は、フレキシブルディスク等の記憶媒体に前記画像データを書込む際も同様に適用できる。
【００１８】
〔露光・現像装置ＥＰの概略構成〕
露光・現像装置ＥＰは、筐体内部に、ＰＬＺＴプリントヘッド２０ａを備えた露光ユニット２０と、露光ユニット２０を制御する露光制御装置２１と、露光ユニット２０にて露光された印画紙２を現像処理する現像処理装置２２と、現像処理装置２２内の印画紙搬送系の制御や現像処理液の管理を行う現像制御装置２３と、露光・現像装置ＥＰ全体を制御するプリンタ制御装置２４と、筐体上面に配置された印画紙マガジン８から引き出された印画紙２を多数の搬送ローラ２５等にて現像処理装置２２へ搬送する印画紙搬送系ＰＴとが設けられている。露光ユニット２０と露光制御装置２１とによって、フィルム読取装置ＦＲにて読取られた画像データに基づいて画像記録部材ＰＳである印画紙２上の画像をプリント形成する画像形成装置ＩＣが構成されている。
【００１９】
露光・現像装置ＥＰの筐体外部には、現像処理装置２２にて現像処理及び乾燥処理された印画紙２をオーダ毎に分類するためのソータ２６と、排出口２２ａから排出された印画紙２をソータ２６へ搬送するコンベア２７とが設けられているほか、各種の制御情報を指示入力するための操作卓２９や各種の制御情報を表示するためのモニタ３０も備えられている。
更に、印画紙搬送系ＰＴの搬送経路の途中には、印画紙マガジン８から引き出された長尺の印画紙２を設定プリントサイズに切断するカッタ２８が備えられている。
【００２０】
〔写真プリントの作製動作〕
次に、上記構成の写真プリント装置ＤＰによる写真プリントの作製動作を概略的に説明する。
操作者がフィルム１の駒画像について写真プリントの作製を指示入力したときは、主制御装置６は、フィルムスキャナ３に対してフィルム１の読み取りを指令し、読取制御装置１８からそのフィルム１の画像データを順次受取って、内蔵されているメモリに記録する。
一方、操作者がメモリーカード，光磁気ディスクあるいはＣＤ−Ｒ等の記録媒体に記録された画像データについて写真プリントの作製を指示入力したときは、主制御装置６は、外部入出力装置４の該当するドライブに画像データの読み取りを指令し、そのドライブから画像データを順次受取って、メモリに記録する。
【００２１】
主制御装置６は、上記のようにして入力された画像データに基づいて、その画像データによってプリントを作製した場合に得られるであろうシミュレート画像を図示を省略する画像処理回路にて演算して求め、それをモニタ６ａに表示する。
操作者は、このモニタ６ａ上のシミュレート画像を観察して、適正な画像が得られていなければ、操作卓６ｂから露光条件の修正入力操作を行う。
主制御装置６の画像処理回路は、入力された画像データとその修正入力とに従って予め設定された演算条件で赤色、緑色、青色毎の露光用画像データを生成する。
【００２２】
この露光用画像データは、露光・現像装置ＥＰのプリンタ制御装置２４に送られ、プリンタ制御装置２４に備えられているメモリに記憶される。
プリンタ制御装置２４は、印画紙搬送系ＰＴから得られる印画紙２の搬送情報に基づいて、印画紙２の前端が所定の露光開始位置まで搬送されて来たことを検知すると、露光制御装置２１に対して露光作動の開始を指令すると共に、露光ユニット２０の露光処理スピードに対応した速度で露光用画像データを露光制御装置２１へ順次送信する。
露光制御装置２１は、受け取った露光用画像データに基づいてＰＬＺＴプリントヘッド２０ａの各光シャッタを作動させて印画紙２にプリント画像の潜像を形成する。
露光ユニット２０にて露光処理された印画紙２は、印画紙搬送系ＰＴにて現像処理装置２２へ搬送されて、各現像処理タンクを順次通過することにより現像され、現像処理された印画紙２は、更に乾燥処理された後に排出口２２ａからコンベア２７上に排出され、ソータ２６にてオーダー毎にまとめられる。
又、顧客から写真プリントの画像をＣＤ−Ｒメディアや光磁気ディスク等へ書込むことを要求された場合は、上述のようにして前記画像データ等を書込む。
【００２３】
〔別実施形態〕
以下、本発明の別実施形態を列記する。
（１）上記実施の形態では、写真プリントの作製と並行してＷＯＲＭ型の光ディスクであるＣＤ−Ｒメディアに画像データを書込む場合を例示しているが、写真プリント自体は作製せずに、その写真プリントの画像に相当する画像を前記ＣＤ−Ｒメディアに書込むように構成しても良い。
（２）上記実施の形態では、画像形成装置ＩＣをＰＬＺＴ光シャッタ方式の露光ユニット２０を備えて構成する場合を例示しているが、レーザ露光式の画像露光装置を用いる他、インクジェット式のプリント装置を用いる等、画像形成装置ＩＣの具体構成は種々変更可能であり、又、写真プリントを作製するための画像記録部材ＰＳについても、上記実施の形態で例示している印画紙１以外に、感光フィルムや各種の記録紙等の種々の画像記録部材ＰＳを用いることができる。
（３）上記実施の形態では、ＷＯＲＭ型の光ディスクとしてＣＤ−Ｒのメディアを例示しているが、例えば、いわゆるＤＶＤ−Ｒのメディア等の他の種類のＷＯＲＭ型の光ディスクにも本発明を適用できる。
【００２４】
【発明の効果】
上記請求項１記載の構成によれば、画像データ書込み装置に装填されたＷＯＲＭ型の光ディスクの書込み済みデータを読取り、既に前記表示処理プログラムが書込まれているか否かに応じて、画像データの書込みのみを許容するのか、あるいは、画像データ及び前記表示処理プログラムの双方の書込みを許容するのかを自動判別するので、写真プリント装置の操作者は、画像データ書込み装置に装填する前記光ディスクの素性をそれほど意識せずに取り扱うことができる。
もって、写真プリントとして形成する画像に相当する画像の画像データをＷＯＲＭ型の光ディスクに書込む場合における、その光ディスクの取り扱いを簡単化できるに至った。
【００２５】
又、上記請求項２記載の構成によれば、写真プリント装置で取り扱うことを予定している、何のデータも書込まれていない前記光ディスクと、前記表示処理プログラムのみが書込まれた前記光ディスクとの何れにも該当せず、他のデータが書込まれた光ディスクが、何らかの理由により誤って写真プリント装置の操作者に渡されて、その光ディスクが前記画像データ書込み装置に装填されてしまった場合でも、前記光ディスクにデータが書込まれ、且つ、そのデータが前記表示処理プログラムでないときに、装填されている前記光ディスクへの前記画像データの書込みを禁止することで、その光ディスクを保護することができる。
【図面の簡単な説明】
【図１】本発明の実施の形態にかかる写真プリント装置のブロック構成図
【図２】本発明の実施の形態にかかる写真プリント装置の外観斜視図
【図３】本発明の実施の形態にかかるフローチャート
【図４】本発明の実施の形態にかかるフローチャート
【符号の説明】
１    写真フィルム
ＦＲ  フィルム読取装置
ＩＣ  画像形成装置
ＩＷ  画像データ書込み装置
ＰＳ  画像記録部材
ＷＣ  書込み制御手段
【図１】
0003952378.tif 000002
【図２】
0003952378.tif 000003
【図３】
0003952378.tif 000004
【図４】
0003952378.tif 000005